(57)【要約】【課題】洗い場側床パンの端部と浴槽側ユニットの端部との接続部分から外部への水漏れを簡単な構成で確実に行う。洗い場側床パンの端部と浴槽側ユニットの端部との接続を容易に行う。【解決手段】洗い場側床パン１の一辺に沿って設けた接続用立ち上がり片２の上端部に断面略Ｌ字状の接続用段部３を形成し、接続用段部３の上端から外側に向けて上横片４を連出する。浴槽側ユニット５の一辺に沿って設けた断面略逆Ｌ字状をした覆い片６を上記接続用段部３に被せると共に上横片４と覆い片６との間に水密材７を介在させる。接続用段部３の長手方向の端部に接続用段部３上に流れた水を遮水するための遮蔽片８を設ける。【選択図】        図１
2004176325.tif 000002
【特許請求の範囲】
【請求項１】
洗い場側床パンの一辺に沿って設けた接続用立ち上がり片の上端部に断面略Ｌ字状の接続用段部を形成し、接続用段部の上端から外側に向けて上横片を連出し、浴槽側ユニットの一辺に沿って設けた断面略逆Ｌ字状をした覆い片を上記接続用段部に被せると共に上横片と覆い片との間に水密材を介在させ、接続用段部の長手方向の端部に接続用段部上に流れた水を遮水するための遮蔽片を設けて成ることを特徴とする浴槽側ユニットと洗い場側床パンとの接続構造。
【請求項２】
洗い場側床パンの接続用立ち上がり片を設けた辺と隣接する辺に接続用立ち上がり片に連続する洗い場側壁受け用立ち上がり片を立設すると共に該洗い場側壁受け用立ち上がり片の上端部に洗い場側壁受け用横片を外側に向けて突設し、洗い場側壁受け用横片の突出先端部に上方に向けて洗い場側壁止水片を突設し、この洗い場側壁止水片の端部を接続用段部の端部側に連出して連出止水片とし、連出止水片の下端部を断面略Ｌ字状の接続用段部の長手方向の端部と上横片の長手方向の端部に連設して該連出止水片の下部で上記接続用段部上に流れた水を遮水するための遮蔽片を構成して成ることを特徴とする請求項１記載の浴槽側ユニットと洗い場側床パンとの接続構造。
【請求項３】
浴槽側ユニットの一辺に沿って断面略逆Ｌ字状をした覆い片を連出し、浴槽側ユニットの覆い片を設けた辺と隣接する辺に浴槽側壁受け用起立片を立設すると共に浴槽側壁受け用起立片の上端部に浴槽側壁受け用横片を外側に向けて突設し、浴槽側壁受け用横片の突出先端部から上方に向けて浴槽側壁止水片を突設し、該浴槽側ユニットの上記浴槽側止水片の覆い片を設けた方の端部側を切除して切除部を形成し、浴槽側壁受け用横片の切除部と隣合った部位により接続用段部の長手方向の端部と上横片の長手方向の端部とを覆って該浴槽側壁受け用横片の端部を洗い場側壁受け用横片の端部に突き合わせると共に連出止水片の側端部と浴槽側壁止水片の側端部とを突き合わせて成ることを特徴とする請求項２記載の浴槽側ユニットと洗い場側床パンとの接続構造。
【請求項４】
連出止水片の下端部の上横片の長手方向の端部とのなすコーナ部分に上横片側に張出した上面が洗い場側壁受け用横片よりも低い位置となった段状突部を形成し、段状突部と洗い場側壁受け用横片との間に位置する遮蔽片を接続用段部側に張出すと共にこの張出した遮蔽片の上面を段状凹部よりも凹ませてはめ込み凹部とし、浴槽側壁受け用横片の長手方向の端部に垂下片を垂設し、垂下片をはめ込み凹部に嵌め込むと共に浴槽側壁受け用横片の切除部と隣合った部位の下面と段状突部の上面との間に水密材を介在させて成ることを特徴とする請求項３記載の浴槽側ユニットと洗い場側床パンとの接続構造。
【請求項５】
上横片の長手方向の端部に接続用段部と反対側に向けて固定用横片を突設し、固定用横片に補強金具を添設して固定部を形成し、浴槽側壁受け用横片の下面部に突設した脚部を固定用横片に載設して浴槽側壁受け用横片の上面側から脚部を貫通する固着具を補強金具を添設した固定用横片の固定部に固着して成ることを特徴とする請求項１乃至請求項４のいずれかに記載の浴槽側ユニットと洗い場側床パンとの接続構造。
【請求項６】
上横片の上面に長手方向の全長にわたって止水リブを突設し、該止水リブを上横片と覆い片との間に介在させた水密材に食い込ませて成ることを特徴とする請求項１乃至請求項５のいずれかに記載の浴槽側ユニットと洗い場側床パンとの接続構造。
【発明の詳細な説明】
【０００１】
【発明の属する技術分野】
本発明は、浴槽側ユニットと洗い場側床パンとの接続構造に関するものである。
【０００２】
【従来の技術】
浴槽側ユニット５と洗い場側床パン１とを接続するものとして図１０に示すように洗い場側床パン１の端部と浴槽側ユニット５を構成する浴槽側床パンの端部との間にパッキン材４０を介在させてビスにより固着するものが知られている。（例えば特許文献１参照）
また、図１１に示すように洗い場側床パン１の一辺に沿って設けた接続用立ち上がり片２の上端部に断面逆Ｌ字状をした洗い場側端部片４２を形成し、この洗い場側端部片４２の下端部に断面Ｕ字状の溝片４３を連設し、浴槽側ユニット５を構成する浴槽側床パンの一辺に沿って設けた断面略逆Ｌ字状をした浴槽側端部片４４を形成し、この浴槽側端部片４４の縦片と洗い場側端部片の縦片との間にパッキン材４５を介在させて浴槽側端部片４４の上横片と洗い場側端部片４２の上横片とにわたるように上に金具５０を載せてビスにより固着するものが知られている。（例えば特許文献２参照）
また、この特許文献２には図１２に示すように、洗い場側床パン１の一辺に沿って設けた接続用立ち上がり片２の上端部に断面略Ｌ字状の段部４６を形成し、段部４６の上端から外側に向けて上横片４７を連出し、浴槽側ユニット５の一辺に沿って設けた断面略逆Ｌ字状をした覆い片４８を上記段部４６に被せ、断面略逆Ｌ字状をした覆い片４８の先端と断面略Ｌ字状の段部４６の下横片との間にパッキン材４９を介在させたものも開示してある。
【０００３】
【特許文献１】
特開平５−２１４７５２号公報
【特許文献２】
実開平７−４５６５号公報
【０００４】
【発明が解決しようとする課題】
上記特許文献１に示された図１０の従来例にあっては、パッキン材４０による封水を行っている部分は頻繁に水がかかる部分であるため、パッキン材４０による封水が破れやすく、このパッキン材４０を介在させた洗い場側床パン１の端部と浴槽側ユニット５の端部との間から水が浸入すると、洗い場側床パン１の端部の形状に沿って水が流れてそのまま外部に排出されてしまうという問題がある。そこで、この従来例では図１０に示すように第２のパッキン材５０を介在させて外部への水漏れを防止するようになっているが、このものにおいては、パッキン材４０、５０による封水箇所が複数箇所になって、洗い場側床パン１と浴槽側ユニット５を構成する浴槽側床パンとの接続作業が面倒となり、しかも、パッキン材４０を通過して浸入した水は第２のパッキン材５０の上方部分に溜まってしまって洗い場側床パン１側に排水されないので、溜まった水により第２のパッキン材５０による封水が破れやすく、第２のパッキン材５０の封水が破れるとそのまま外部に排出されてしまうという問題がある。
【０００５】
また、特許文献２に示された図１１の従来例にあっては、パッキン材４５を介在させた浴槽側端部片４４の縦片と洗い場側端部片４２片の縦片との間から水が浸入すると断面Ｕ字状の溝片４３に水が溜まるようになっているが、水の浸入が多くなると溝片４３を越えて外部に流れ出るという問題がある。
【０００６】
また、特許文献２に示された図１２の従来例にあっては、パッキン材４９による封水部分が直接水が頻繁にかかる部分であるため、パッキン材４９による封水が破れやすく、パッキン材４９による封水が破れた場合、断面略Ｌ字状の段部４６と覆い片４８の先端の背面との間に水が溜まりやすくて溜まった水が段部４６を越えて外部に流出するという問題がある。
【０００７】
本発明は上記の点に鑑みてなされたものであり、洗い場側床パンの端部と浴槽側ユニットの端部との接続部分から外部への水漏れを簡単な構成で確実に行うとともに洗い場側床パンの端部と浴槽側ユニットの端部との接続を容易に行うことができる浴槽側ユニットと洗い場側床パンとの接続構造を提供することを課題とするものである。
【０００８】
【課題を解決するための手段】
上記課題を解決するために本発明に係る浴槽側ユニットと洗い場側床パンとの接続構造は、洗い場側床パン１の一辺に沿って設けた接続用立ち上がり片２の上端部に断面略Ｌ字状の接続用段部３を形成し、接続用段部３の上端から外側に向けて上横片４を連出し、浴槽側ユニット５の一辺に沿って設けた断面略逆Ｌ字状をした覆い片６を上記接続用段部３に被せると共に上横片４と覆い片６との間に水密材７を介在させ、接続用段部３の長手方向の端部に接続用段部３上に流れた水を遮水するための遮蔽片８を設けて成ることを特徴とするものである。このような構成とすることで、接続用段部３の上面と覆い片６の下面との間に浸入した水は遮蔽片８により接続用段部３の長手方向の端部から外に出るのが阻止され上横片４を越えて外に出るのが水密材７により防止され、しかも、接続用段部３の上面と覆い片６の下面との間に浸入した水はすぐに接続用段部３の上面と覆い片６の下面との間から接続用段部３の上面に沿って洗い場側床パン１に流下して接続用段部３と覆い片６との間に溜まることがなく、したがって、接続用段部３と覆い片６との間に溜まった水が水密材７でシールしている上横片４と覆い片６との間を越えて外部に排出されることがないものである。
【０００９】
また、洗い場側床パン１の接続用立ち上がり片２を設けた辺と隣接する辺に接続用立ち上がり片２に連続する洗い場側壁受け用立ち上がり片９を立設すると共に該洗い場側壁受け用立ち上がり片９の上端部に洗い場側壁受け用横片１０を外側に向けて突設し、洗い場側壁受け用横片１０の突出先端部に上方に向けて洗い場側壁止水片１１を突設し、この洗い場側壁止水片１１の端部を接続用段部３の端部側に連出して連出止水片１２とし、連出止水片１２の下端部を断面略Ｌ字状の接続用段部３の長手方向の端部と上横片４の長手方向の端部に連設して該連出止水片１２の下部で上記接続用段部３上に流れた水を遮水するための遮蔽片８を構成することが好ましい。このような構成とすることで、洗い場側壁受け用横片１０に壁パネルを立設した場合における壁パネルの下端と洗い場側壁受け用横片１０の上面との間の隙間から浸入した水が外部に流れ出るのを阻止するための洗い場側壁止水片１１の端部を連出するという簡単な構造で遮蔽片８を構成することができるものであり、また、遮蔽片８の上方には連出止水片１２の上部が存在するので、接続用段部３及び上横片４の端部の上方においても止水できるものである。
【００１０】
また、浴槽側ユニット５の一辺に沿って断面略逆Ｌ字状をした覆い片６を連出し、浴槽側ユニット５の覆い片６を設けた辺と隣接する辺に浴槽側壁受け用起立片１３を立設すると共に浴槽側壁受け用起立片１３の上端部に浴槽側壁受け用横片１４を外側に向けて突設し、浴槽側壁受け用横片１４の突出先端部から上方に向けて浴槽側壁止水片１５を突設し、該浴槽側ユニット５の上記浴槽側壁止水片１５の覆い片６を設けた方の端部側を切除して切除部１６を形成し、浴槽側壁受け用横片１４の切除部１６と隣合った部位により接続用段部３の長手方向の端部と上横片４の長手方向の端部とを覆って該浴槽側壁受け用横片１４の端部を洗い場側壁受け用横片１０の端部に突き合わせると共に連出止水片１２の側端部と浴槽側壁止水片１５の側端部とを突き合わせることが好ましい。このような構成とすることで、浴槽側壁受け用横片１４で接続用段部３の長手方向の端部と上横片４の長手方向の端部とが覆われて浴槽側ユニット５の上面を流れる水が外部に漏水し難い構造となるものであり、しかも、浴槽側壁受け用横片１４と洗い場側壁受け用横片１０とが連続することで壁パネルの載設が支障なく正確に行え、また、連出止水片１２の側端部と浴槽側壁止水片１５とが連続することで壁パネルの載設部分から外に水が漏れるのを防止できるものである。
【００１１】
また、連出止水片１２の下端部の上横片４の長手方向の端部とのなすコーナ部分に上横片４側に張出した上面が洗い場側壁受け用横片１０よりも低い位置となった段状突部１７を形成し、段状突部１７と洗い場側壁受け用横片１０との間に位置する遮蔽片８を接続用段部３側に張出すと共にこの張出した遮蔽片８の上面を段状突部１７よりも凹ませてはめ込み凹部１８とし、浴槽側壁受け用横片１４の長手方向の端部に垂下片１９を垂設し、垂下片１９をはめ込み凹部１８に嵌め込むと共に浴槽側壁受け用横片１４の切除部１６と隣合った部位の下面と段状突部１７の上面との間に水密材７を介在させることが好ましい。このような構成とすることで、浴槽側壁受け用横片１４の長手方向の端部から流れ落ちた水ははめ込み凹部１８から接続用段部３に流れ落ちて洗い場側床パン１に流下するものである。
【００１２】
また、上横片４の長手方向の端部に接続用段部３と反対側に向けて固定用横片２０を突設し、固定用横片２０に補強金具２１を添設して固定部２２を形成し、浴槽側壁受け用横片１４の下面部に突設した脚部２３を固定用横片２０に載設して浴槽側壁受け用横片１４の上面側から脚部２３を貫通する固着具２４を補強金具２１を添設した固定用横片２０の固定部２２に固着することが好ましい。このような構成とすることで、水が浸入しやすい接続用段部３から離れた部分で浴槽用側ユニット５と洗い場側床パン１とを固着具２４により固着連結できて固着連結部分から水漏れが発生しないものであり、また、浴槽側壁受け用横片１４の下面部に突設した脚部２３を固定用横片２０に載設することで浴槽側ユニット５と洗い場側床パン１との高さの位置合わせができ、また、固定用横片２０に補強金具２１を添設した固定部２２に固着具２４を固着するので、強固な固着ができるものである。
【００１３】
また、上横片４の上面に長手方向の全長にわたって止水リブ２５を突設し、該止水リブ２５を上横片４と覆い片６との間に介在させた水密材７に食い込ませることが好ましい。このような構成とすることで、上横片４と覆い片６との間から水が外に漏れるのを止水リブ２５と水密材７とで２重に防水できるものである。
【００１４】
【発明の実施の形態】
以下、本発明を添付図面に示す実施形態に基づいて説明する。
【００１５】
図１に示すように洗い場側床パン１には一辺（浴槽側ユニット５と接続する側の一辺）に沿って接続用立ち上がり片２が上方に向けて突出してあり、この接続用立ち上がり片２の上端部には図３、図８に示すように断面略Ｌ字状をした接続用段部３が一体に外側方に向けて突出形成してあり、更に、接続用段部３の上端から外側方に向けて上横片４が一体に連設してある。断面略Ｌ字状をした接続用段部３は横片と縦片とよりなり、横片は図４に示すように洗い場側床パン１側に向けて下り傾斜している（つまり接続用立ち上がり片２側ほど下となるように下り傾斜している）。
【００１６】
また、図１、図８に示すように、洗い場側床パン１の上記接続用立ち上がり片２を設けた辺と隣接する辺には接続用立ち上がり片２に連続する洗い場側壁受け用立ち上がり片９が立設してあり、この洗い場側壁受け用立ち上がり片９は接続用立ち上がり片２よりも背が高いものである。この洗い場側壁受け用立ち上がり片９の上端部には洗い場側壁受け用横片１０が外側方に向けて一体に突設してあり、更に洗い場側壁受け用横片１０の突出先端部に上方に向けて洗い場側壁止水片１１が一体に突設してある。
【００１７】
洗い場側壁止水片１１の側端部が接続用段部３の端部側に連出してあって連出止水片１２としてあり、連出止水片１２の下端部を断面略Ｌ字状の接続用段部３の長手方向の端部と上横片４の長手方向の端部に連設してある。そして、この連出止水片１２の下部が上記接続用段部３上に流れた水を遮水するための遮蔽片８となっている。
【００１８】
連出止水片１２の下端部の上横片４の長手方向の端部とのなすコーナ部分に上横片４側に張出した上面が上横片４の上面よりも高く且つ洗い場側壁受け用横片１０よりも低い段状突部１７が形成してある。この段状突部１７と洗い場側壁受け用横片１０との間に位置する遮蔽片８を接続用段部３側に張出してあり、この張出した遮蔽片８の上面を段状突部１７よりも下方に凹ませてはめ込み凹部１８としてある。
【００１９】
上横片４の長手方向の端部には接続用段部３と反対側に向けて固定用横片２０が突設してある。この固定用横片２０の下面部には図５に示すように補強リブ２７が一体に垂設してあり、固定用横片２０の下面と補強リブ２７の側面とにＬ字状をした補強金具２１の縦片と横片とを添設してあり、補強金具２１の縦片をビス２８で固着することで補強金具２１を固着してある。このように補強金具２１を固着して固定用横片２０の裏面側に添設することで、固定用横片２０の補強金具２１を添設した部分が固定部２２となっている。
【００２０】
上横片４の上面には図３に示すように長手方向の全長にわたって止水リブ２５を突設してあり、この止水リブ２５は段状突部１７の側面及び上面にわたって連続して突設してある。
【００２１】
浴槽側ユニット５は本実施形態では浴槽により構成してあり、浴槽は図１に示すように浴槽部２９の上端開口部の外周部に一体にフランジ部３０を設け、フランジ部３０の一辺（洗い場側床パン１と接続する側の辺）に断面略逆Ｌ字状をした覆い片６を一体に連設し、更に、フランジ部３０の他の３辺に浴槽側壁受け用起立片１３を一体に立設すると共に浴槽側壁受け用起立片１３の上端部に浴槽側壁受け用横片１４を外側に向けて一体に突設し、浴槽側壁受け用横片１４の突出先端部から上方に向けて浴槽側壁止水片１５を一体に突設することで構成してある。
【００２２】
ここで、上記においては浴槽側ユニット５を浴槽で構成した例を示したが、浴槽側ユニット５としては浴槽側床パンであってもよいものである。この場合は浴槽側床パン上に別体の浴槽が載設される。
【００２３】
図９に示すように、浴槽側ユニット５の覆い片６を設けた辺と隣接する辺に設けた浴槽側ユニット５の上記浴槽側壁止水片１５の覆い片６を設けた方の端部側が切除してあって切除部１６を形成してある。また、浴槽側壁受け用横片１４の下面部に脚部２３が下方に向けて突設してある。また、浴槽側壁受け用横片１４の長手方向の端部（覆い片６を設けた方の端部）に垂下片１９を垂設してある。
【００２４】
上記のような構成の洗い場側床パン１と、浴槽側ユニット５とを接続するには以下のようにして行うものである（図３乃至図６には接続部分の各部の詳細な図面が示してある）。
【００２５】
すなわち、浴室を形成しようとする現場において洗い場側床パン１と浴槽側ユニット５とをスラブや基礎等に設置するのであるが、この場合、浴槽側ユニット５の一辺に沿って設けた断面略逆Ｌ字状をした覆い片６を洗い場側床パン１の接続用段部３に被せ、上横片４上に水密材７を介在させた状態で覆い片６を重ね、浴槽側壁受け用横片１４の切除部１６と隣合った部位により接続用段部３の長手方向の端部と上横片４の長手方向の端部とを覆って該浴槽側壁受け用横片１４の端部を洗い場側壁受け用横片１０の端部に突き合わせると共に連出止水片１２の側端部と浴槽側壁止水片１５の側端部とを突き合わせ、更に、垂下片１９をはめ込み凹部１８に嵌め込み、浴槽側壁受け用横片１４の切除部１６と隣合った部位の下面と段状突部１７の上面との間に水密材７を介在させ（この水密材７は上記上横片４と覆い片６との間に介在させた水密材７と一体に連続したものであるのが好ましいが、別体であってもよい）、この状態で、脚部２３を固定用横片２０に載設して浴槽側ユニット５と洗い場側床パン１との高さ方向の位置合わせを行い、浴槽側壁受け用横片１４の上面側から脚部２３を貫通するように固着具２４を挿入して固着具２４の先端部を図４、図５に示すように補強金具２１を添設した固定用横片２０の固定部２２に固着することで、洗い場側床パン１の端部と浴槽側ユニット５とを強固に接続するものである。このように、水が浸入しやすい接続用段部３から離れた部分で浴槽用ユニット５と洗い場側床パン１とを固着具２４により固着連結するので固着連結部分から水漏れが発生し難い構造となる。
【００２６】
ここで、浴槽側壁受け用横片１４の端部と洗い場側壁受け用横片１０の端部との突き合わせ部分、連出止水片１２の側端部と浴槽側壁止水片１５の側端部との突き合わせ部分、垂下片１９とはめ込み凹部１８の内壁面との間にはシリコン等のコーキング材が充填され、これらの突き合わせ部分から水漏れが生じないようにしてある。
【００２７】
なお、水密材７をあらかじめ覆い片６の下面に貼り付けておいて覆い片６を接続用段部３に被せて上横片４上に覆い片６を重ねることで水密材７を覆い片６と上横片４との間に介在させるようにすると、覆い片６の覆い作業が容易に行えるものである。
【００２８】
また、突合せにより連続する浴槽側壁受け用横片１４と洗い場側壁受け用横片１０とには壁パネル（図示せず）が載設され、更に、洗い場側床パン１の外周の一部にはドアユニット取付け部が設けてあって、ドアユニット取付け部にドアユニット（図示せず）が載設される。このようにして壁パネル、ドアユニットを立設した後、壁パネルの上端部に天井パネル（図示せず）を取り付けて浴室ユニットを形成するものである。
【００２９】
しかして、上記のような浴室ユニットにおいては、洗い場側床パン１で使用する湯水、あるいは浴槽側ユニット５の浴槽部２９からあふれた湯水（以下単に水という）が接続用段部３の上面と覆い片６の下面との間の隙間から浸入するが、断面略Ｌ字状の接続用段部３の縦片により上横片４側に乗り越えるのが防止され、また、接続用段部３の上面に浸入した水が長手方向に流れても長手方向の端部において遮蔽片８により外に出るのが阻止されることになる。この場合、遮蔽片８の上方には連出止水片１２の上部が存在するので、接続用段部３及び上横片４の端部の上方においても連出止水片１２により止水できることになる。しかも、接続用段部３の上面と覆い片６の下面との間に浸入した水は一時的に浸入するのみで接続用段部３の上面（横片上面）に滞留することなく接続用段部３の上面と覆い片６の下面との間の隙間から洗い場側床パン１側に排水されるものであり、この場合、接続用段部３の横片が接続用立ち上がり片２側ほど下となるように下り傾斜しているので、接続用段部３の横片に滞留することなくいっそうスムーズに洗い場側床パン１側に排水されることになる。
【００３０】
このように、接続用段部３の上面と覆い片６の下面との間に浸入した水が接続用段部３の上面に滞留しないので、上横片４を越えて外に流れ出にくいものであり、また、仮に、上横片４部分に一時的に水が浸入したとしても、上横片４と覆い片６の間に介在してある水密材７により遮水されてそれ以上の浸入が阻止されて外部に出ることがないものである。特に、接続用段部３に長期間にわたって水が滞留することがないので、上横片４部分には一時的に水が至るだけであり、したがって水密材７のシールが破れて水漏れするおそれがないものである。
【００３１】
しかも、水密材７によりシールするだけでなく、図３に示すように、上横片４の上面に長手方向の全長にわたって止水リブ２５が上横片４と覆い片６との間に介在させた水密材７に食い込ませてあるので、上横片４と覆い片６との間から水が外に漏れるのを止水リブ２５と水密材とで２重に防水できて、よりいっそう接続部分からの水漏れが防止できるものである。
【００３２】
また、図４に示すように、浴槽側壁受け用横片１４で接続用段部３の長手方向の端部と上横片４の長手方向の端部とが覆われて浴槽側ユニット５の上面を流れる水が外部に漏水し難い構造となるものである。また、浴槽側壁受け用横片１４の長手方向の端部から流れ落ちた水ははめ込み凹部１８から接続用段部３に流れ落ちて洗い場側床パン１に流下するものである。
【００３３】
【発明の効果】
上記のように本発明の請求項１記載の発明にあっては、浴槽側ユニットの一辺に沿って設けた断面略逆Ｌ字状をした覆い片を断面略Ｌ字状をした接続用段部に被せると共に上横片と覆い片との間に水密材を介在させ、接続用段部の長手方向の端部に接続用段部上に流れた水を遮水するための遮蔽片を設けたので、接続用段部の上面に覆い片の下面との間に浸入した水は遮蔽片により接続用段部の長手方向の端部から外に出るのが阻止されると共に上横片を越えて外に出るのが水密材により防止され、この結果、外に流れ出したり滞留したりすることなく接続用段部の上面に沿ってスムーズに洗い場側床パンに流下するという効果がある。
【００３４】
請求項２記載の発明にあっては、上記請求項１記載の発明の効果に加えて、洗い場側壁受け用横片に壁パネルを立設した場合に洗い場側壁受け用横片と壁パネルの下端との間から入った水が外に流出するの防止するための洗い場側壁止水片の端部を接続用段部の端部側に連出して連出止水片とし、連出止水片の下端部を断面略Ｌ字状の接続用段部の長手方向の端部と上横片の長手方向の端部に連設して該連出止水片の下部で上記接続用段部上に流れた水を遮水するための遮蔽片を構成することで、洗い場側止水片の端部を連出するという簡単な構造で遮蔽片を構成することができ、また、遮蔽片の上方には連出止水片の上部が存在するので、接続用段部及び上横片の端部の上方においても止水できて、より確実な止水ができるものである。
【００３５】
また、請求項３記載の発明にあっては、上記請求項２記載の発明の効果に加えて、浴槽側壁受け用横片の切除部と隣合った部位により接続用段部の長手方向の端部と上横片の長手方向の端部とを覆って該浴槽側壁受け用横片の端部を洗い場側壁受け用横片の端部に突き合わせると共に連出止水片の側端部と浴槽側壁止水片の側端部とを突き合わせてあるので、浴槽側壁受け用横片で接続用段部の長手方向の端部と上横片の長手方向の端部とが覆われて浴槽側ユニットの上面を流れる水が外部に漏水し難い構造となるものであり、しかも、浴槽側壁受け用横片と洗い場側壁受け用横片とが連続することで壁パネルの載設が支障なく正確に行え、また、連出止水片の側端部と浴槽側壁止水片とが連続することで壁パネルの載設部分から外に水が漏れるのを防止できるものである。
【００３６】
また、請求項４記載の発明にあっては、上記請求項３記載の発明の効果に加えて、連出止水片の下端部の上横片の長手方向の端部とのなすコーナ部分に上横片側に張出した上面が洗い場側壁受け用横片よりも低い位置となった段状突部を形成し、段状突部と洗い場側壁受け用横片との間に位置する遮蔽片を接続用段部側に張出すと共にこの張出した遮蔽片の上面を段状凹部よりも凹ませてはめ込み凹部とし、浴槽側壁受け用横片の長手方向の端部に垂下片を垂設し、垂下片をはめ込み凹部に嵌め込むと共に浴槽側壁受け用横片の切除部と隣合った部位の下面と段状突部の上面との間に水密材を介在させてあるので、浴槽側壁受け用横片の長手方向の端部から流れ落ちた水ははめ込み凹部から接続用段部に流れ落ちて洗い場側床パンに流下するものであって、外部に流出するのが防止できる。
【００３７】
また、請求項５記載の発明にあっては、上記請求項１乃至請求項４のいずれかに記載の発明の効果に加えて、上横片の長手方向の端部に接続用段部と反対側に向けて固定用横片を突設し、固定用横片に補強金具を添設して固定部を形成し、浴槽側壁受け用横片の下面部に突設した脚部を固定用横片に載設して浴槽側壁受け用横片の上面側から脚部を貫通する固着具を補強金具を添設した固定用横片の固定部に固着したので、水が浸入しやすい接続用段部から離れた部分で浴槽用ユニットと洗い場側床パンとを固着具により固着連結できて固着連結部分から水漏れが発生しないものであり、また、浴槽側壁受け用横片の下面部に突設した脚部を固定用横片に載設することで浴槽側ユニットと洗い場側床パンとの高さの位置合わせができ、また、固定用横片に補強金具を添設した固定部に固着具を固着するので、強固な固着ができるものである。
【００３８】
また、請求項６にあっては、上記請求項１乃至請求項５のいずれかに記載の発明の効果に加えて、上横片の上面に長手方向の全長にわたって止水リブを突設し、該止水リブを上横片と覆い片との間に介在させた水密材に食い込ませてあるので、上横片と覆い片との間から水が外に漏れるのを止水リブと水密材とで２重に防水できるものである。
【図面の簡単な説明】
【図１】本発明の接続前の状態を示す分解斜視図である。
【図２】同上の接続状態を示す斜視図である。
【図３】同上の接続部分の要部平面図である。
【図４】同上の図３のＡ−Ａ線の断面図である。
【図５】同上の図３のＢ−Ｂ線の断面図である。
【図６】同上の図３のＣ−Ｃ線の断面図である。
【図７】同上の図３のＤ−Ｄ線の断面図である。
【図８】同上の接続用段部、上横片、洗い場側壁止水片、固定用横片を示す斜視図である。
【図９】同上の切除部を示す斜視図である。
【図１０】従来例を示す断面図である。
【図１１】他の従来例を示す断面図である。
【図１２】他の従来例を示す断面図である。
【符号の説明】
１  洗い場側床パン
２  接続用立ち上がり片
３  接続用段部
４  上横片
５  浴槽側ユニット
６  覆い片
７  水密材
８  遮蔽片
９  洗い場側壁受け用立ち上がり片
１０  洗い場側壁受け用横片
１１  洗い場側壁止水片
１２  連出止水片
１３  浴槽側壁受け用起立片
１４  浴槽側壁受け用横片
１５  浴槽側壁止水片
１６  切除部
１７  段状凹部
１８  はめ込み凹部
１９  垂下片
２０  固定用横片
２１  補強金具
２２  固定部
２３  脚部
２４  固着具
２５  止水リブ
【図１】
2004176325.tif 000003
【図２】
2004176325.tif 000004
【図３】
2004176325.tif 000005
【図４】
2004176325.tif 000006
【図５】
2004176325.tif 000007
【図６】
2004176325.tif 000008
【図７】
2004176325.tif 000009
【図８】
2004176325.tif 000010
【図９】
2004176325.tif 000011
【図１０】
2004176325.tif 000012
【図１１】
2004176325.tif 000013
【図１２】
2004176325.tif 000014